(57)【要約】【課題】  記録媒体の挿入と、記録媒体が長さ方向と幅方向に誤って挿入される誤挿入とを検出することを目的とする。【解決手段】  挿入された前記記録媒体をイジェクト位置とローディング位置との間で移動させる移動手段と、前記記録媒体が第１の位置まで挿入されることで、前記記録媒体の挿入方向に対して直交する方向の一方端を検出する第１の検出手段と、前記記録媒体が前記第１の位置とは異なる第２の位置まで挿入されることで、前記記録媒体の挿入方向に対して直交する方向の他方端を検出する第２の検出手段と、前記第１の検出手段にて前記記録媒体が前記第１の位置まで挿入されたことを検出した後、前記第２の検出手段にて前記記録媒体が第２の位置まで挿入されたことを検出した場合に、前記移動手段を前記イジェクト位置から前記ローディング位置へ移動するよう制御する制御手段とを有することを特徴とする。【選択図】  図４
2007012171.tif 000002
【特許請求の範囲】
【請求項１】
記録媒体が挿入される電子記録媒体駆動装置において、
挿入された前記記録媒体をイジェクト位置とローディング位置との間で移動させる移動手段と、
前記記録媒体が第１の位置まで挿入されることで、前記記録媒体の挿入方向に対して直交する方向の一方端を検出する第１の検出手段と、
前記記録媒体が前記第１の位置とは異なる第２の位置まで挿入されることで、前記記録媒体の挿入方向に対して直交する方向の他方端を検出する第２の検出手段と、
前記第１の検出手段にて前記記録媒体が前記第１の位置まで挿入されたことを検出した後、前記第２の検出手段にて前記記録媒体が第２の位置まで挿入されたことを検出した場合に、前記移動手段を前記イジェクト位置から前記ローディング位置へ移動するよう制御する制御手段とを有することを特徴とする電子記録媒体駆動装置。
【請求項２】
前記第１の検出手段および第２の検出手段は、光センサであることを特徴とする請求項１に記載の電子記録媒体駆動装置。
【請求項３】
前記記録媒体は、磁気記録ディスク、半導体メモリのいずれか一つであることを特徴とする請求項１もしくは２に記載の電子記録媒体駆動装置。
【請求項４】
更に、前記第１の検出手段にて前記記録媒体が前記第１の位置まで挿入されたことを検出した後、第２の検出手段にて前記記録媒体が第２の位置まで挿入されたことを検出しない場合、ユーザーに警告を報知する報知手段を有することを特徴とする請求項１乃至３のいずれかに記載の電子記録媒体駆動装置。
【請求項５】
更に、前記記録媒体と前記電子記録媒体駆動装置とを電気的に接続するための接続手段を有し、
前記ローディング位置は、前記記録媒体と前記接続手段とが電気的に接続される位置であることを特徴とする請求項１乃至４のいずれかに記載の電子記録媒体駆動装置。
【発明の詳細な説明】
【技術分野】
【０００１】
本発明は、記録媒体が装着される電子記録媒体駆動装置に関するものである。
【背景技術】
【０００２】
パーソナルコンピュータの普及に伴い、電子記録メディア（ＣＤ−ＲＯＭ、ＤＶＤ−ＲＯＭ、ＭＯ、リムーバブルハードディスクなど）の記録容量が増大し、その種類も多様化している。電子記録メディアには、ＣＤ−ＲＯＭやＤＶＤ−ＲＯＭなどのディスクタイプのほかに、リムーバブルハードディスクのようにパッケージの内部に記録デバイスが格納されている電子機器パッケージのタイプがある。
【０００３】
一般的に、電子機器パッケージは、パーソナルコンピュータのドライブに挿入されると、ドライブの内部に配置されているコネクタ部に接続される。コネクタ部への接続後、パーソナルコンピュータは電子機器パッケージに記録されている情報の読み書きを開始する。ドライブの誤動作を防止するため、特許文献１には、電子機器パッケージの誤挿入を検知することが記載されている。
【特許文献１】特開平５−４１０１０号公報
【発明の開示】
【発明が解決しようとする課題】
【０００４】
特許文献１の電子記録媒体駆動装置は、コンパクトディスクカートリッジを挿入するドライブであるので、幅方向の寸法が長さ方向の寸法よりも短いため、長さ方向と幅方向を誤って挿入すること出来ない構造である。しかし、長さ方向の寸法が幅方向の寸法よりも短い記録媒体を挿入可能なドライブにおいて、記録媒体が長さ方向と幅方向に誤って挿入される誤挿入を検出することが必要である。
【０００５】
本発明は、長さ方向の寸法が幅方向の寸法よりも短い記録媒体を挿入可能な電子記録媒体駆動装置において、記録媒体の挿入と、記録媒体が長さ方向と幅方向に誤って挿入される誤挿入とを簡単な構成で精度良く検出することを目的とする。
【課題を解決するための手段】
【０００６】
記録媒体が挿入される電子記録媒体駆動装置において、挿入された前記記録媒体をイジェクト位置とローディング位置との間で移動させる移動手段と、前記記録媒体が第１の位置まで挿入されることで、前記記録媒体の挿入方向に対して直交する方向の一方端を検出する第１の検出手段と、前記記録媒体が前記第１の位置とは異なる第２の位置まで挿入されることで、前記記録媒体の挿入方向に対して直交する方向の他方端を検出する第２の検出手段と、前記第１の検出手段にて前記記録媒体が前記第１の位置まで挿入されたことを検出した後、前記第２の検出手段にて前記記録媒体が第２の位置まで挿入されたことを検出した場合に、前記移動手段を前記イジェクト位置から前記ローディング位置へ移動するよう制御する制御手段とを有することを特徴とする。
【発明の効果】
【０００７】
本発明によれば、長さ方向の寸法が幅方向の寸法よりも短い記録媒体を挿入可能な電子記録媒体駆動装置において、記録媒体の挿入と、記録媒体が長さ方向と幅方向に誤って挿入される誤挿入とを簡単な構成で精度良く検出することが出来る。
【発明を実施するための最良の形態】
【０００８】
本発明の実施形態について、図１から図１４を参照して説明する。
【０００９】
図１は、本実施形態における本体装置の外観図である。
【００１０】
本体装置１内の電子記録媒体駆動装置２に、リムーバブルハードディスク３が挿入されている。リムーバブルハードディスクとは、電子機器パッケージタイプの磁気記録媒体である。パッケージ内には、ハードディスクが内蔵されている。
【００１１】
リムーバブルハードディスク３は、電子記録媒体駆動装置２内のホルダ７に挿入されることにより、本体装置１に接続され、データの送受信が行われる。
【００１２】
また、イジェクトボタン６が押されると、リムーバブルハードディスク３は電子記録媒体駆動装置２から排出される。
【００１３】
図２は、本実施例におけるリムーバブルハードディスクを示したものである。以下に、リムーバブルハードディスク３の各部の説明をする。
【００１４】
３ａは、ロック溝である。リムーバブルハードディスクが電子記録媒体駆動装置内のホルダに挿入されると、ロック溝３ａとホルダ内のロック部材が嵌合し、リムーバブルハードディスクはホルダ内に固定される。
【００１５】
３ｂは、スライド溝である。リムーバブルハードディスク３が電子記録媒体駆動装置内のホルダに挿入される際、スライド溝３ｂは駆動装置の挿入口内部にある一対の凸状ガイドリブと噛み合う。スライド溝３ｂと凸状ガイドリブとが噛み合うことにより、リムーバブルハードディスク３はガイドされてホルダ内へスムーズに挿入される。
【００１６】
４は、プラグ側コネクタである。リムーバブルハードディスクが電子記録媒体駆動装置２内部へ運ばれた後、プラグ側コネクタ４は、電子記録媒体駆動装置２内部に配置されているリセプタクル側コネクタ１３に接続される。プラグ側コネクタ４とリセプタクル側コネクタ１３との接続後、プラグ側コネクタ４とリセプタクル側コネクタとを介して、データの送受信および電力の供給が行われる。また、電子記録媒体駆動装置２への電源供給及び、本体装置１とのデータ送受信は、本体コネクタ１５を介してなされる。
【００１７】
以下、図４〜図１４を用いて、本実施例における電子記録媒体駆動装置の動作を詳細に説明する。
【００１８】
図４は、図１における電子記録媒体駆動装置２の内部構造およびリムーバブルハードディスク３を示したものである。
【００１９】
以下、本実施例における電子記録媒体駆動装置の動作の概要を説明する。まず、リムーバブルハードディスク３は、ユーザーにより電子記録媒体駆動装置２に挿入される。リムーバブルハードディスク３は電子記録媒体駆動装置２に挿入された後、ホルダ７に固定される。
【００２０】
ホルダ７は、モータ２７の駆動力がギヤ列２６、駆動ギヤ２５、ラックギヤ２４へ伝達されることで、図４に示す位置と、図８に示す位置との間をガイドレール１２、２８にガイドされて移動する。ホルダ７にはガイド溝３１、３２が形成され、第１のロック部材９はガイド溝３２にガイドされて移動し、第２のロック部材２２はガイド溝３１にガイドされて移動する。第１のロック部材９は第１のスプリング８によって図中右方向に付勢されいるとともに、第２のロック部材２２は第２のスプリング２３によって図中左方向に付勢されている。つまり、第１のロック部材８および第２のロック部材２２は、ガイド溝３１、３２のなかで、それぞれホルダ７の外側に向けて付勢されている。また、ホルダ７には第１のライトガイド１０と第２のライトガイド２９が固定されている。
【００２１】
ホルダ７が図４に示す位置にあるとき、第１のライトガイド１０は発光素子１８から発せられた光を電子記録媒体駆動装置２の底面に配置された受光素子１９に導く。同様に第２のライトガイド２９は発光素子２１から発せられた光を電子記録媒体駆動装置２の底面に配置された受光素子２０に導く。
【００２２】
図７は、電子記録媒体駆動装置２が図４の状態にあるときのＣ−Ｃ断面図である。３０はリムーバブルハードディスク３に接してガイドするレールである。図に示すように、発光素子１８、２１から発せられた光はそれぞれ第１のライトガイド１０、第２のライトガイド２９を通って受光素子１９、２０で受光される。したがって、受光素子１９、２０はともにオンとなる。
【００２３】
図４は、リムーバブルハードディスク３が電子記録媒体駆動装置２に挿入された初期状態を示している。この状態では、リムーバブルハードディスク３は第１のロック部材９および第２のロック部材２２と何ら係合していないので、リムーバブルハードディスク３はホルダ７に固定されていない。この状態では、第１の発光素子１８、第２の発光素子２１から発せられた光はそれぞれ第１のライトガイド１０、第２のライトガイド２９を通って第１の受光素子１９、第２の受光素子２０で受光される。
【００２４】
図４に示す状態から図５に示す状態までリムーバブルハードディスク３を挿入すると、リムーバブルハードディスク３の端面３ｃが第１のロック部材９の端面９ａおよび第２のロック部材２２の端面２２ａに当接して、第１のロック部材９および第２のロック部材２２が動き始める。
【００２５】
図９は、図５における第１のロック部材９および第２のロック部材２２の状態を詳細に説明する図である。図９に示されているように、リムーバブルハードディスク３がホルダ７へＢ方向に挿入されると、第１のロック部材９の端面９ａと第２のロック部材２２の端面２２ａがリムーバブルハードディスク３の端面３ｃに当接し、第１のロック部材９および第２のロック部材２２は第１のスプリング８および第２のスプリング２３の付勢力に抗してＡ方向へ移動する。
【００２６】
この状態において、図５に示すようにリムーバブルハードディスク３が第２のライトガイド２９と受光素子２０との間に入り、第２の発光素子２１の発光する光を第２の受光素子２０が受光することができなくなり、第２の受光素子２０はオンからオフに変化する。つまり、この状態では第１の受光素子１９がオン、第２の受光素子２０がオフとなる。
【００２７】
図５の状態から図６に示す状態までリムーバブルハードディスク３を挿入すると、第１のロック部材９および第２のロック部材２２が完全にリムーバブルハードディスク３を固定する状態となる。
【００２８】
図１０は、図６における第１のロック部材９および第２のロック部材２２の状態を詳細に説明する図である。図１０に示されているように、第１のロック部材９および第２のロック部材２２がガイド溝３１、３２にガイドされて移動すると、第１のロック部材９の爪部９ｂと第２のロック部材の爪部２２ｂが、リムーバブルハードディスク３のロック溝３ａに嵌合する。これによって、リムーバブルハードディスク３はホルダ７に固定される。
【００２９】
この状態において、図６に示すようにリムーバブルハードディスク３はさらに第１のライトガイド１０と第１の受光素子１９との間に入り、第１の発光素子１８の発光する光を第１の受光素子１９が受光することができなくなり、第１の受光素子１９はオンからオフに変化する。つまり、この状態では第１の受光素子１９、第２の受光素子２０は、ともにオフとなる。
【００３０】
第２の受光素子２０がオンからオフに変化した後、第１の受光素子１９がオンからオフに変化したことを検出すると、制御部４１はモータ２７をローディング方向に駆動して、ホルダ７を図中上方向へ移動させる。
【００３１】
図８は、電子記録媒体駆動装置２がリムーバブルハードディスク３を完全にローディングして、リムーバブルハードディスク３のプラグ側コネクタ３ｄと、電子記録媒体駆動装置２のリセプタクル側コネクタ１３とがコネクトした状態を示している。プラグ側コネクタ３ｄとリセプタクル側コネクタ１３とがコネクトした状態となるまでホルダ７が移動すると、ホルダ７に固定された第３のライトガイドが、第３の発光素子１６の光を第３の受光素子１７に導き、第３の受光素子１７がオフからオンに変化する。この第３の受光素子１７の状態を検出して制御部４１はモータ２７のローディング方向への駆動を停止し、ホルダ７は図８の位置で停止する。以上がリムーバブルハードディスク３を電子記録媒体駆動装置２にローディングする際の動作である。
【００３２】
次にリムーバブルハードディスク３を電子記録媒体駆動装置２から排出する際の動作について説明する。
【００３３】
図８の状態において、イジェクトボタン６が操作されると、制御部４１は第３の受光素子１７の状態を検出して、リムーバブルハードディスク３がローディングされているかどうかを検出する。第３の受光素子１７がオンである場合、リムーバブルハードディスク３がローディングされているので、イジェクト動作を開始する。一方、第３の受光素子１７がオフである場合には、リムーバブルハードディスク３がローディングされていないので、イジェクト動作を開始しない。
【００３４】
リムーバブルハードディスク３のイジェクト動作について説明する。
【００３５】
制御部４１はモータ２７を前述したローディング動作とは逆の方向であるイジェクト方向に駆動して、ホルダ７を図中下方向に移動させる。
【００３６】
ホルダ７が図８の状態から図６の状態まで移動すると、第４の発光素子４０からの光がライトガイド１１を介して、第４の受光素子３９に到達する。第４の受光素子３９が第４の発光素子４０からの光を受けると、第４の受光素子３９はオフからオンに変化する。
【００３７】
第４の受光素子３９がオフからオンに変化したことを検出すると、制御部４１はモータ２７のイジェクト方向への駆動を停止する。
【００３８】
図６の状態の状態において、リムーバブルハードディスク３は第１のロック部材９および第２のロック部材２２によってホルダ７に固定されている。このとき、第１の受光素子１９、第２の受光素子２０はともにオフとなる。前述のローディング動作においては、リムーバブルハードディスク３を挿入する力が第１のスプリング８および第２のスプリング２３の付勢力に抗して、第１のロック部材９および第２のロック部材２２を移動させていたが、イジェクト動作においては、図６の状態にてリムーバブルハードディスク３を挿入する力が与えられない。したがって、第１のロック部材９および第２のロック部材２２を付勢している第１のスプリング８および第２のスプリング２３の付勢力によって図５の状態になる。
【００３９】
すなわち、図１０に示す状態においてＢ方向の力が与えられないので、第１のロック部材９および第２のロック部材２２は第１のスプリング８および第２のスプリング２３の付勢力によって、図９の状態に移動する。第１のロック部材９および第２のロック部材２２が図１０の状態から図９の状態に移動すると、第１のロック部材９の端面９ａおよび第２のロック部材２２の端面２２ａがリムーバブルハードディスク３の端面３ｃを押して、リムーバブルハードディスク３を排出方向に移動させる。
【００４０】
図６の状態から図５の状態にリムーバブルハードディスク３が移動すると、第１のロック部材９の爪部９ｂと第２のロック部材の爪部２２ｂが、リムーバブルハードディスク３のロック溝３ａから外れ、ホルダ７とリムーバブルハードディスク３との固定が解除される。このとき、第１の受光素子１９がオフからオンに変化し、第２の受光素子２０はオフのままである。前述のように図６の状態からのリムーバブルハードディスク３は第１のスプリング８および第２のスプリング２３の付勢力によって１のロック部材９および第２のロック部材２２に押し出されるので、リムーバブルハードディスク３には慣性がつき、図５の状態を経て図４の状態まで移動する。
【００４１】
図４の状態では、図５の状態よりもさらにイジェクト方向にリムーバブルハードディスク３が移動して、第２の受光素子２０はオフからオンに変化する。第１の受光素子１９はオンのままである。したがって、第１の受光素子１９がオフからオンに変化した後に第２の受光素子２０はオフからオンに変化することを検出して、制御部４１はリムーバブルハードディスク３が正常にイジェクトされたことを判断している。
【００４２】
図１３はリムーバブルハードディスク３のローディング動作時における第１の受光素子１９、第２の受光素子２０、第３の受光素子１６、第４の受光素子３９のオン、オフのタイミングを示すタイミングチャート図である。
【００４３】
図１４はリムーバブルハードディスク３のイジェクト動作時における第１の受光素子１９、第２の受光素子２０、第３の受光素子１６、第４の受光素子３９のオン、オフのタイミングを示すタイミングチャート図である。
【００４４】
図１３に示すように、リムーバブルハードディスク３をローディングする場合には、第２の受光素子２０がオン状態からオフ状態になったことを検出した後、第１の受光素子１９がオン状態からオフ状態になったことを検出することにより、リムーバブルハードディスク３がホルダ７に正しく装着されたことを検出する。もしくは、第２の受光素子２０がオン状態からオフ状態になったことを検出した後、所定時間以内に、第１の受光素子１９がオン状態からオフ状態になったことを検出したときに、リムーバブルハードディスク３がホルダ７に正しく装着されたことを検出する。リムーバブルハードディスク３の検出の際に、所定時間を設定することで、例えば、第一の受光素子１９もしくは第二の受光素子２０が故障して、オフ状態になってしまった場合に、リムーバブルハードディスク３の誤検出を防止することが出来る。リムーバブルハードディスク３がホルダ７に正しく装着されたことを検出すると、モータ２７のローディング方向への駆動が開始する。そして、第３の受光素子１７がオフ状態からオン状態になることにより、モータ２７のローディング方向への駆動を停止する。
【００４５】
一方、リムーバブルハードディスク３をイジェクトする場合には、図１４に示すように、第３の受光素子１７がオン状態であることを検出して、モータ２７のイジェクト方向への駆動を開始し、第４の受光素子３９がオフ状態からオン状態になることにより、モータ２７のイジェクト方向への移動を停止する。その後、第１の受光素子１９がオフ状態からオン状態になったことを検出した後、受光素子２０がオフ状態からオン状態になったことを検出することにより、リムーバブルハードディスク３のイジェクト動作を正常終了したことを検出している。
【００４６】
リムーバブルハードディスク３がホルダ７に正しく装着されたかどうかは、前述のように、第２の受光素子２０がオン状態からオフ状態になったことを検出した後、第１の受光素子１９がオン状態からオフ状態になったことを検出すること、つまり、２つの受光素子が時間差をもって変化することを検出しているので、異物の挿入もしくは正規の向き以外の向きでリムーバブルハードディスク３を挿入した場合には、モータ２７の駆動を行わない。
【００４７】
一般にリムーバブルハードディスクには、コネクタの配置される辺の寸法が同一でありながら駆動装置への挿入方向に対して長さが異なるリムーバブルハードディスクがある。
【００４８】
図３は、リムーバブルハードディスク３よりも駆動装置への挿入方向の寸法が短いリムーバブルハードディスク５を示したものである。
【００４９】
リムーバブルハードディスク５の各部は、図２におけるリムーバブルハードディスク３と同様である。５ａはロック溝、５ｂはスライド溝、４はプラグ側コネクタである。
【００５０】
図１２は、リムーバブルハードディスク５を電子記録媒体駆動装置２に挿入している状態を示している。
【００５１】
図１２のように、正規の方向にリムーバブルハードディスク５を挿入した場合は、リムーバブルハードディスク３を挿入した場合と同様に、第２の受光素子２０がオン状態からオフ状態になったことを検出した後、第１の受光素子１９がオン状態からオフ状態になったことを検出するので、モータ２７をローディング方向に駆動してリムーバブルハードディスク５をローディングする。また、イジェクト動作もリムーバブルハードディスク３と同様である。
【００５２】
図１１はリムーバブルハードディスク５を正しい挿入方向に対して水平に９０度回転させ、右側に寄せて挿入している状態を示す図である。
【００５３】
図１１の状態では、第１の発光素子１８からの光は、リムーバブルハードディスク５により遮断されているため、第１の受光素子１９はオフ状態である。つまり、図１１に示されているようにリムーバブルハードディスク５を挿入した場合には、第２の受光素子２０がオン状態のまま、第１の受光素子１９がオン状態からオフ状態になったことを検出するので、制御部４１はモータ２７を駆動しない。したがって、リムーバブルハードディスク５の誤挿入した状態でモータ２７を駆動して、リムーバブルハードディスクまたは駆動装置を破壊してしまうことを防止できる。
【００５４】
また、リムーバブルハードディスク５を正しい挿入方向から水平に９０度回転させ、ホルダ７に対し左側に寄せて挿入しようとしても、第１の受光素子１９はオン状態のままであるので、制御部４１はモータ２７を駆動しない。
【００５５】
（他の実施形態）
本実施形態では、電子記録媒体駆動装置に挿入される記録媒体として、リムーバブルハードディスクを例に挙げて説明したが、記録媒体には、他の磁気記録媒体を用いてもよいし、半導体メモリ型の記録媒体などの他の記録媒体を用いてもよい。
【００５６】
また、本実施形態では、リムーバブルハードディスクの位置を検出する手段として、光センサを用いたが、位置検出手段として、磁気センサを用いてもよいし、機械的なスイッチを用いてもよい。
【００５７】
また、本実施形態では、リムーバブルハードディスクが正しく挿入されない場合にモータの駆動を行わないように制御しているが、このときにユーザーに警告を報知する報知手段を付加してもよい。
【００５８】
また、本実施形態ではイジェクト動作において、モータ２７の停止後に、スプリングの付勢力によってリムーバブルハードディスク３を排出するようにしたが、これとは別の排出機構であってもよい。
【図面の簡単な説明】
【００５９】
【図１】本実施形態における電子記録媒体駆動装置２の全体を表す斜視図。
【図２】リムーバブルハードディスク３を示す図。
【図３】リムーバブルハードディスク５を示す図。
【図４】リムーバブルハードディスク３を電子記録媒体駆動装置２に挿入する状態を説明する図。
【図５】リムーバブルハードディスク３を電子記録媒体駆動装置２に挿入する状態を説明する図２。
【図６】リムーバブルハードディスク３を電子記録媒体駆動装置２に挿入する状態を説明する図。
【図７】図６における電子記録媒体駆動装置２のＣ−Ｃ断面図。
【図８】リムーバブルハードディスク３がリセプタクル側コネクタに接続された状態を示す図。
【図９】リムーバブルハードディスク３がロック部材により固定される直前を示す図。
【図１０】リムーバブルハードディスク３がロック部材により固定された状態を示す図。
【図１１】リムーバブルハードディスク５を電子記録媒体駆動装置に誤挿入した図。
【図１２】リムーバブルハードディスク５を電子記録媒体駆動装置２に挿入する状態を説明する図。
【図１３】リムーバブルハードディスク３のローディング動作における各受光素子のタイミングチャート図。
【図１４】リムーバブルハードディスク３をイジェクト動作における各受光素子のタイミングチャート図。
【図１】
2007012171.tif 000003
【図２】
2007012171.tif 000004
【図３】
2007012171.tif 000005
【図４】
2007012171.tif 000006
【図５】
2007012171.tif 000007
【図６】
2007012171.tif 000008
【図７】
2007012171.tif 000009
【図８】
2007012171.tif 000010
【図９】
2007012171.tif 000011
【図１０】
2007012171.tif 000012
【図１１】
2007012171.tif 000013
【図１２】
2007012171.tif 000014
【図１３】
2007012171.tif 000015
【図１４】
2007012171.tif 000016